(57)【要約】【課題】携帯電灯等の包装体は、製品を柔らかいポリエチシートで収納しており製品の宣伝等が表示できず、また製品の保護も出来ないという課題があった。安いコストで見栄えがよく、製品の宣伝も効果的にすることが可能であり、しかも製品の保護も十分にできる携帯電灯などの包装体を提供することを目的とする。【解決手段】製品を収納する六面体状の包装箱を、底部を有した透明な収納袋に収納されてなる包装体において、六面体状の包装箱の少なくとも一面の一部に切り抜き窓部を有することを特徴とする。【選択図】図３
2008168936.tif 000002
【特許請求の範囲】
【請求項１】
製品を収納してなる六面体状の包装箱を、底部を有した透明な収納袋に収納される包装形態において、六面体状の包装箱の少なくとも一面の一部に切り抜き窓部を有することを特徴とする包装体。
【請求項２】
六面体状の前面の窓部に相当する部分の上部と下部の一部、またはどちらか片方をそれぞれ内側に折り曲げることにより切り抜き窓部を形成するとともに天面および底面、または天面か底面のどちらか片方を形成したことを特徴とする請求項１記載の包装体。
【請求項３】
天面および底面のどちらか一方の中央付近に製品がはめ込み保持される切り込み部を設けた請求項１記載の包装体
【請求項４】
六面体状の底面を取り除き開口状とした請求項１記載の包装体
【請求項５】
六面体状の包装箱の各角に丸みを設けてなる請求項１記載の包装体
【発明の詳細な説明】
【技術分野】
【０００１】
本発明は、携帯電灯などの製品の販売促進に適した包装体に関するものである。
【背景技術】
【０００２】
従来のこの種の包装体は特許文献１や特許文献２のように包装作業簡単にすることを主目的として提案されている。特許文献１では製品形状に対応した切抜き部に製品を嵌め込んだ台紙の外周に円筒状プラスチックで覆うべく挿入しその一端を扁平にして台紙と一緒に固着し、他端は開口とした構成がしめされている。また特許文献２では製品の下部に同梱電池を収納してなる電池収納箱を位置させて透明な収納袋に収納され、その上部をヘッダーにて閉じられた包装形態が示されている。
【特許文献１】実公平２−１２５３号公報
【特許文献２】実開平５−１９１８２号公報
【発明の開示】
【発明が解決しようとする課題】
【０００３】
しかしながら、特許文献１では台紙は製品を嵌め込む切り込み部があるため、台紙面積は少なく、商品そのものはよく見え外観的な宣伝はできても、製品の特徴等を記載した部分が少ないため製品の特徴をよりわかりやすくするための宣伝ができない。さらに、円筒状プラスチックはコスト的に高価なものとなる。
【０００４】
また、特許文献２は収納袋と電池収納箱とヘッダーでコスト的に非常に安くできている。しかし、ヘッダー部しかないため、特許文献１の例と同様に製品の特徴等を記載する部分が少なく、製品の特徴をよりわかりやすくするための宣伝が全く表示できないという課題を有していた。さらに、製品は収納袋の柔らかいポリエチシートのみで製品の保護面では全く役にたたないという課題も有していた。
【課題を解決するための手段】
【０００５】
上記課題を解決するために、本発明に係る包装体は製品を収納してなる六面体状の包装箱を、底部を有した透明な収納袋に収納し、六面体状の包装箱の少なくとも一面の一部に切り抜き窓部を有するものである。
【発明の効果】
【０００６】
本発明によると、透明な収納袋で収納されてなる六面体状の包装箱の少なくとも一面の一部に切り抜き窓部を有しているので製品がよく見え、さらに切り抜き窓部を除いた全ての外観は製品の宣伝や仕様などの表示面として十分な面積を確保でき、しかも包装箱には印刷が簡単にできるため展示効果は非常に高いものである。また、収納袋の中に包装箱を設けており隣の製品とぶつかっても保護の役目となり安心して展示ができる。以上のように製品の宣伝が十分にできしかも製品保護が確実でその上コスト的にも安価にできる特徴を有している。
【発明を実施するための最良の形態】
【０００７】
本発明において、六面体状の包装箱の天面は切り抜き窓部の上半分を内側に折り曲げ形成させ、一方底面は切り抜き窓部の下半分を内側に折り曲げ形成する。このようにした包装箱は紙を有効に利用できロスがすくなくてすみ、結果的にコストが安くなる。
【０００８】
この内側に曲げてできた天面の中央部に製品を保持するための切り込み部を設けることで製品形状の一方端が小さくなっている場合でも保持が確実となる。
【０００９】
また、包装箱の底面については製品が落ちない強度があればよく、収納袋の底部で製品が落ちないだけの強度はあるため、包装箱の底面は省くことができる。底面がなければ製品を底面より押し込むだけで箱に入るので加工工数の低減となる。
【００１０】
さらに、六面体の各角に丸みをつけると角がなくなるため収納袋が破れにくくなる。
【００１１】
以下、本発明の実施の形態について図１〜６の図面を参照しつつ詳細に説明する。
【００１２】
（実施の形態１）
図１は本実施の形態１における包装箱の展開図、図２は同実施の形態１における包装箱に製品を収納した状態の斜視図、図３は同実施の形態１における包装箱を透明な収納袋に収納しヘッダーにて綴じた状態の斜視図である。図１の展開図において、包装箱は左から左側面１、前面２、右側面３、背面４となっており、前面２に天面５、底面６がつながる構成となっている。切り抜き窓部７は前面、左側面、右側面の一部を切り抜いている。点線にて示した２ｂ、２ｃ、２ｄ、３ａ、４ｃは折部をあらわし、それぞれの折部を折り差込部１ａを隙間４ｂに差し込んでできあがった包装箱を図２に示している。図２では内部に製品８を収納した状態を示しており、前記切り抜き窓部７により製品８は外部から確認できると同時に切り抜き窓部を除いた包装箱の外観には製品の宣伝（ＰＲ）や仕様などの表示が可能である。図３は図２の製品を入れた包装箱を底部９ａを有してなる収納袋９に収納した状態の斜視図である。上部９ｂをヘッダー１０とホッチキス針１１により綴じて包装体を形成している。
【００１３】
（実施の形態２）
図４は本実施の形態２における包装箱の展開図、図５は同実施の形態２における包装箱の上部、下部の断面拡大図、図６は同実施の形態２における包装箱を透明な収納袋に収納しヘッダーにて綴じた状態の斜視図である。図４において、実施の形態１の天面５および底面６と同様の役目をさせるため、切り抜き窓部７側にそれぞれ天面Ｂ１２、底面Ｂ１３を設けた構成としている。切り抜き窓部７の切り落とされる材料を利用したため図１の展開図より図４の展開図の方が包装箱の紙の使用量ははるかに少なくなっていると同時にロスのない展開図となっている。図４の展開図から包装箱とするための作製方法について図５の断面拡大図にて説明する。天面Ｂ１２を折部２ａにて内側に１８０度折込み上方向に曲げる。つぎに折部１２ａで元に戻す方向に９０度折り曲げる。これで水平状態になる。さらに折部１２ｂにて先端部を９０度上方向に曲げる。ここで天面Ｂ１２の中央部に設けた４箇所の切り込み部１２ｃを上方に曲げると正方形状に穴が生じる。この穴部に製品を保持する寸法とすれば、製品がしっかり保持できる。
【００１４】
次に底面Ｂ１３について天面と同様な考えで、まず折部２ｂにて内側に１８０度折込み、下方向に曲げる。次に折部１３ａにて元に戻す方向の９０度曲げで水平にする。最後に先端部を折部１３ｂで上方に折り曲げる。このようにしてできた箱を図６で示すように収納袋９に収納し、上部９ｂをヘッダー１０とホッチキス針１１にて綴じて包装体を形成する。
【００１５】
なお、包装体はヘッダー部で吊り下げられて展示されるため側面や前面などは他の商品とぶつかったりする。その製品保護のための包装箱は必要であるが、底面についてはその必要がなく製品が落ちない強度があればよい。底面Ｂ１３は収納袋９にも底部９ａを形成しているため、包装箱は底面のない開口状態に省略することで工程の簡略化ができる。
【００１６】
また、包装箱の各角となる箇所をＲ形状とした丸み１４を設けることで箱となった時、鋭角状の角ができないため収納袋９が破れにくくなる。
【００１７】
以上のように、六面体状の一面の一部に切り抜き部を設けた包装箱を底部のある収納袋で収納しているため、切抜き部より製品の外観を確認することができ、かつ切抜き部を除いて箱の余白部が多くあるため、宣伝内容や取り扱い説明あるいは仕様などを書き込むこともでき、製品販促に非常に有効な包装体を構成することができる。また、天面Ｂ、底面Ｂを切り抜き窓部に設け、それぞれ内側に折り込む構成としているため、材料ロスのない包装体にすることができる。
【００１８】
さらに天面Ｂの中央部に正方形状の穴となるよう切り込み部を設け、この穴部に製品の一部を嵌め込むことでしっかりと保持することができる。とくに懐中電灯のように照明部の頭部が大きく、反対側の手で持つ部分が小さい形状の場合、この小さい部分を上記穴部に嵌め込むことで簡単な構造にて製品保持を確実に行うことができる。
【００１９】
また、包装体はヘッダー部で吊り下げられて展示されるため、側面や前面などは他の商品とぶつかったりするため製品保護のための箱の役目は必要である。しかし、底面については製品が落ちない強度があればよく、収納袋の底部でも製品が落ちないだけの強度はあるため、包装箱の底面は省くことができる。底面がなければ製品を底面より押し込むだけで箱に入るため加工工数の低減となる。このように、本発明を用いることにより見栄えがよく、製品の宣伝も効果的にすることが可能となり、コストは安く、しかも製品の保護も十分にできる非常に有効な包装体を提供することができる。
【産業上の利用可能性】
【００２０】
本発明に係る包装体は、安いコストで見栄えがよく、製品の宣伝も効果的にすることが可能であり、しかも製品の保護も十分にできるため携帯電灯などの包装体として有用である。
【図面の簡単な説明】
【００２１】
【図１】本実施の形態１における包装箱の展開図
【図２】同実施の形態１における包装箱に製品を収納した状態の斜視図
【図３】同実施の形態１における包装箱を透明な収納袋に収納しヘッダーにて綴じた状態の斜視図
【図４】本実施の形態２における包装箱の展開図
【図５】同実施の形態２における包装箱の上部、下部の断面拡大図
【図６】同実施の形態２における包装箱を透明な収納袋に収納しヘッダーにて綴じた状態の斜視図
【符号の説明】
【００２２】
１    左側面
２    前面
３    右側面
４    背面
５    天面
６    底面
７    切り抜き窓部
８    製品
９    収納袋
９ａ  底部
１０  ヘッダー
１１  ホッチキス針
１２  天面Ｂ
１２ｃ切り込み部
１３  底面Ｂ
１４  丸み（Ｒ）
【図１】
2008168936.tif 000003
【図２】
2008168936.tif 000004
【図３】
2008168936.tif 000005
【図４】
2008168936.tif 000006
【図５】
2008168936.tif 000007
【図６】
2008168936.tif 000008